(57)【要約】【課題】強烈な突き上げ並びに回転力をともなう地震に対応するものであって、社寺仏閣などにおける本堂のような大型の木造建築物に対する耐震補強構造、並びに、既存の木造建築物の耐震補強工法を提供すること。【解決手段】礎石２上に垂直柱３を据え、垂直柱に横構造材４などを連結構築してなる木造建築物であって、前記木造建築物における耐震補強構造において、前記垂直柱のうち当該建築物の隅部に位置する隅部垂直柱３Ａと、前記隅部垂直柱を挟む直交する二壁方向に沿って隣接して位置する隣接垂直柱３Ｂとを含むように、その下部地盤１に設けたべた基礎９と、前記隅部垂直柱と隣接垂直柱との柱間に配置されていて、下縁側が前記べた基礎に連結され、上縁側が前記木造建築物における横構造材に連結されている耐震フレーム構造体１０とからなることを特徴とする木造建築物の耐震補強構造。【選択図】図１
2006348505.tif 000002
【特許請求の範囲】
【請求項１】
礎石上に垂直柱を据え、前記垂直柱に横構造材などを連結構築してなる木造建築物であって、前記木造建築物における耐震補強構造において、
前記垂直柱のうち当該建築物の隅部に位置する隅部垂直柱と、前記隅部垂直柱を挟む直交する二壁方向に沿って隣接して位置する隣接垂直柱とを含むように、その下部地盤に設けたべた基礎と、前記隅部垂直柱と隣接垂直柱との柱間に配置されていて、下縁側が前記べた基礎に連結され、上縁側が前記木造建築物における横構造材に連結されている耐震フレーム構造体とからなることを特徴とする木造建築物の耐震補強構造。
【請求項２】
前記耐震フレーム構造体が、前記べた基礎の表面と横構造材によって規定される高さ方向外寸法と、前記隅部垂直柱と隣接垂直柱との柱間に充填材を介在して嵌り合う幅方向外寸法とを有する外枠体と、前記外枠体の内側に組み合わされる剛域構造部とからなることを特徴とする請求項１に記載の木造建築物の耐震補強構造。
【請求項３】
礎石上に垂直柱を据え、前記垂直柱に横構造材などを連結構築してなる既存の木造建築物に対して耐震補強するための耐震補強工法であって、
前記垂直柱のうち当該建築物の隅部に位置する隅部垂直柱と、前記隅部垂直柱を挟む直交する二壁方向に沿って隣接して位置する隣接垂直柱とを含むように、その下部地盤にべた基礎を敷設する工程と、前記隅部垂直柱と隣接垂直柱との柱間並びに前記べた基礎の表面と木造建築物における横構造材とによって規定される既存壁面を取り除く工程と、前記べた基礎の表面と横構造材によって規定される高さ方向外寸法並びに前記隅部垂直柱と隣接垂直柱との柱間に充填材を介在して嵌り合う幅方向外寸法とを有する耐震フレーム構造体を準備する工程と、前記耐震フレーム構造体の下縁側を前記べた基礎に連結し、上縁側を前記木造建築物における横構造材に連結して固定する工程と、前記耐震フレーム構造体の外表面に壁面仕上材を取り付けて隅部壁面を仕上げる工程とからなることを特徴とする木造建築物の耐震補強工法。
【発明の詳細な説明】
【技術分野】
【０００１】
この発明は、木造建築物に対する耐震補強にかかるものであり、特に、社寺仏閣などにおける本堂のような大型の木造建築物に対する耐震補強構造および既存の木造建築物の耐震補強工法に関するものである。
【背景技術】
【０００２】
周知のように、木造建築物は、日本の伝統的な居住空間を形成する手段として存続してきており、特に、社寺仏閣などにおける大型の木造建築物は、極めて重要な文化遺産でもある。このような木造建築物は、木組みという構築構造によるものであり、例えば、その構築手順の一例を示すと、
（１）建築物を施工する地盤に土を盛り上げ、突き堅め基壇を形成する。
（２）基壇の上であって、建築物の主要垂直柱に対応する位置に礎石を据える。
（３）各礎石の上に垂直柱を据える。
（４）各垂直柱を、土台（または足固め）、貫、長押、梁（または桁）などの横構造材で連結する。
（５）垂直柱上に斗を載せ、斗拱を組み、肘木と斗を数段組む。
（６）丸桁と呼ばれる軒桁を連ねて垂木を打ち付ける。
【０００３】
以上のように、伝統的な木造建築物は、礎石−垂直柱−斗拱−桁−垂木と順次上に載せあげている積木工法によるものであり、これを貫、長押、梁などで横に連結した構造体である。このような木造建築物において、当該建築物の軸組は、以下に示す理由から隅部が弱いということが知られている。
（１）四隅の垂直柱の部分では、Ｘ方向、Ｙ方向の二本の貫が直交差するため、貫は交差部において断面が１／２であるので、他の部分に比べて弱く、仕口が破損しやすい。長押も、４５度に切り合わした留が破損しやすい。地震時に強い力がかかると、先ず、ここが破壊してしまう。
（２）屋根の隅部分では、鬼瓦や棟熨斗積のため重く、一般の柱と比べて隅柱には比較的大きな荷重がかかっており、特に、地震のときには、強烈な押し上げ力が加わり破壊されやすい。
（３）これらのことから、隅部の礎石は、他の部分の礎石に比べて、沈下しやすい情況にある。
【０００４】
一方、我国は、地震の多発地域に属しており、地震による被害は多大である。特に、上記する伝統的な木造建築物などへの耐震対策は、殆んどなされておらず、その被害は、尋常なものではない。地震は、横揺れだけではなく、強烈な突き上げ、さらには、回転力をともなうことがある。横揺れの地震に対しては、例えば、特許文献１に記載されているような筋違入り壁を増設すればよいが、強烈な突き上げ並びに回転力をともなう地震に対しては、上記する筋違入り壁の増設だけでは、全く無力であり、且つ、全く不十分なものであった。
【０００５】
【特許文献１】特開２００４−２７０３０９号公報（要約、図１、図２）
【発明の開示】
【発明が解決しようとする課題】
【０００６】
そこで、この発明では、上記する従来技術の問題点を解消すべくなしたものであって、特に重要な要素は、強烈な突き上げ並びに回転力をともなう地震に対応するものとして案出されたものであり、社寺仏閣などにおける本堂のような大型の木造建築物に対する耐震補強構造、並びに、既存の木造建築物の耐震補強工法を提供しようとするものである。
【課題を解決するための手段】
【０００７】
この発明は、上記する目的を達成するにあたって、請求項１に記載の発明は、礎石上に垂直柱を据え、前記垂直柱に横構造材などを連結構築してなる木造建築物であって、前記木造建築物における耐震補強構造において、前記垂直柱のうち当該建築物の隅部に位置する隅部垂直柱と、前記隅部垂直柱を挟む直交する二壁方向に沿って隣接して位置する隣接垂直柱とを含むように、その下部地盤に設けたべた基礎と、前記隅部垂直柱と隣接垂直柱との柱間に配置されていて、下縁側が前記べた基礎に連結され、上縁側が前記木造建築物における横構造材に連結されている耐震フレーム構造体とからなることを特徴とする木造建築物の耐震補強構造を構成するものである。
【０００８】
さらに、この発明において請求項２に記載の発明は、請求項１に記載の木造建築物の耐震補強構造であって、前記耐震フレーム構造体が、前記べた基礎の表面と横構造材によって規定される高さ方向外寸法と、前記隅部垂直柱と隣接垂直柱との柱間に充填材を介在して嵌り合う幅方向外寸法とを有する外枠体と、外枠体の内側に組み合わされる剛域構造部とからなることを特徴とするものである。
【０００９】
さらに、この発明において請求項３に記載の発明は、礎石上に垂直柱を据え、前記垂直柱に横構造材などを連結構築してなる既存の木造建築物に対して耐震補強するための耐震補強工法であって、
前記垂直柱のうち当該建築物の隅部に位置する隅部垂直柱と、前記隅部垂直柱を挟む直交する二壁方向に沿って隣接して位置する隣接垂直柱とを含むように、その下部地盤にべた基礎っを敷設する工程と、前記隅部垂直柱と隣接垂直柱との柱間並びに前記べた基礎の表面と木造建築物における横構造材とによって規定される既存壁面を取り除く工程と、前記べた基礎の表面と横構造材によって規定される高さ方向外寸法並びに前記隅部垂直柱と隣接垂直柱との柱間に充填材を介在して嵌り合う幅方向外寸法とを有する耐震フレーム構造体を準備する工程と、前記耐震フレーム構造体の下縁側を前記べた基礎に連結し、上縁側を前記木造建築物における横構造材に連結して固定する工程と、前記耐震フレーム構造体の外表面に壁面仕上材を取り付けて隅部壁面を仕上げる工程とからなることを特徴とする木造建築物の耐震補強工法を構成するものでもある。
【発明の効果】
【００１０】
この発明になる木造建築物の耐震補強構造によれば、垂直柱のうち当該建築物の隅部に位置する隅部垂直柱と、この隅部垂直柱を挟む直交する二壁方向に沿って隣接して位置する隣接垂直柱とを含むように、その下部地盤に設けたべた基礎と、前記隅部垂直柱と隣接垂直柱との柱間に配置されていて、下縁側が前記べた基礎に連結され、上縁側が前記木造建築物における横構造材に連結されている耐震フレーム構造体とによって構成したことにより、従来から弱体部分として指摘されていた木造建築物の四隅垂直柱並びにその近辺を耐震補強した点において、強烈な横揺れ、強烈な突き上げ並びに回転力をともなう地震に対して極めて有効に作用するものといえる。
【発明を実施するための最良の形態】
【００１１】
以下、この発明になる木造建築物の耐震補強構造および木造建築物の耐震補強工法について、図面に示す具体的な実施例に基づいて詳細に説明する。図１は、この発明が極めて効果的に適用される例を示すものであって、本堂などの大型木造建築物の一部を破断して示す概略的な側面図であり、図２は、その概略的な平面視断面図である。
【００１２】
この発明になる木造建築物の耐震補強構造は、地盤１上に礎石２を据え、礎石２上に垂直柱３を据え、この垂直柱３に土台（または足固め）５、貫６、梁（または桁）７などの横構造材４を連結構築してなる木造建築物に対するものであり、基本的には、垂直柱３のうち当該建築物の隅部に位置する隅部垂直柱３Ａと、この隅部垂直柱３Ａを挟む直交する二壁８、８方向に沿って隣接して位置する隣接垂直柱３Ｂ、３Ｂとを含むように、その下部地盤１に設けたべた基礎９と、前記隅部垂直柱３Ａと隣接垂直柱３Ｂとの柱間に配置されていて、下縁側が前記べた基礎９に連結され、上縁側が前記木造建築物における横構造材４に連結されている耐震フレーム構造体１０とからなっている。
【００１３】
図１において、前記木造建築物における屋根の部分は、化粧垂木１１、茅負１２、裏甲１３、野垂木１４、母屋１５、はね木１６、瓦葺１７などを含む構成のものであり、当該木造建築物における周囲の地盤側には、 犬走り１８が設けられている。
【００１４】
前記べた基礎９は、例えば、図２に示すような平面視領域にわたって、図１に示すような側断面構造のものからなっている。前記べた基礎９は、図１に示すように、鉄筋コンクリート１９の打設により構成されており、前記隅部垂直柱３Ａと隣接垂直柱３Ｂとの柱間に対応する位置に複数個の固定アンカーボルト２０が植設してある。
【００１５】
一方、前記耐震フレーム構造体１０は、前記べた基礎９の表面９ａと横構造材４によって規定される高さ方向外寸法と、前記隅部垂直柱３Ａと隣接垂直柱３Ｂとの柱間に、例えば、隙間フレキシブル充填材２１を介在して嵌り合う幅方向外寸法とを有する外枠体２２と、前記外枠体２２の内側に組み合わされる剛域構造部２３とを含むものからなっている。前記外枠体２２および剛域構造部２３は、Ｈ鋼材、Ｃチャンネル溝鋼材などの型鋼材によって組み立てられている。この型鋼材は、腐食に強い亜鉛ドブ漬材、耐候性鋼材もしくはステンレス鋼材を用いる。
【００１６】
前記耐震フレーム構造体１０における外枠体２２の下縁側２２Ａには、前記固定アンカーボルト２０が挿通するに適した挿通孔が設けてあり、当該挿通孔内に固定アンカーボルト２０を挿通した後、ナット締めすることによって、前記耐震フレーム構造体１０における外枠体２２の下縁側２２Ａを、前記べた基礎９に連結固定する。この場合、前記外枠体２２の下縁側２２Ａとべた基礎９との隙間には無収縮モルタルを充填することもある。
【００１７】
前記耐震フレーム構造体１０における外枠体２２の上縁側２２Ｂには、固定ボルト挿通孔が設けてあり、前記横構造材４越しに固定ボルト２４を挿通した後、ナット締めすることによって、前記耐震フレーム構造体１０における外枠体２２の上縁側２２Ｂを、前記横構造材４に連結固定する。この場合、外枠体２２の上縁側２２Ｂと横構造材４との隙間には、隙間寸法に合わせて板などを嵌め込む。
【００１８】
次に、この発明になる既存の木造建築物に対して耐震補強するための耐震補強工法について、その具体的な手順について説明する。先ず、前記建築物の隅部に位置する隅部垂直柱３Ａと、この隅部垂直柱３Ａを挟む直交する二壁８、８方向に沿って隣接して位置する隣接垂直柱３Ｂとを含むように、その下部地盤１にべた基礎９を敷設し、複数の固定アンカーボルト２０を植設しておく。前記隅部垂直柱３Ａと隣接垂直柱３Ｂとの柱間並びに前記べた基礎９の表面９ａと木造建築物における横構造材４とによって規定される既存壁面を取り除く。
【００１９】
一方、前記べた基礎９の表面９ａと横構造材４によって規定される高さ方向外寸法並びに前記隅部垂直柱３Ａと隣接垂直柱３Ｂとの柱間に充填材を介在して嵌り合う幅方向外寸法とを有する耐震フレーム構造体１０を、工場などにおいて予め準備しておき、これを施工現場に持ち込み、前記耐震フレーム構造体１０の下縁側２２Ａを前記べた基礎９に連結し、上縁側を前記木造建築物における横構造材４に連結して固定する。
【００２０】
しかる後、前記耐震フレーム構造体１０の外表面に壁面仕上材２５を取り付けて、当該建築物の隅部壁面を仕上げる。
【図面の簡単な説明】
【００２１】
【図１】図１は、この発明が極めて効果的に適用される例を示すものであって、本堂などの大型木造建築物の一部を破断して示す概略的な側面図である。
【図２】図２は、その概略的な平面視断面図である。
【符号の説明】
【００２２】
１  地盤
２  礎石
３  垂直柱
３Ａ  隅部垂直柱
３Ｂ、３Ｂ  隣接垂直柱
４  横構造材
５  土台
６  貫
７  梁
８、８  直交する二壁
９  べた基礎
９ａ  べた基礎の表面
１０  耐震フレーム構造体
１８  犬走り
１９  鉄筋コンクリート
２０  固定アンカーボルト
２１  隙間フレキシブル充填材
２２  外枠体
２２Ａ  外枠体の下縁側
２２Ｂ  外枠体の上縁側
２３  剛域構造部
２４  固定ボルト
２５  壁面仕上材
【図１】
2006348505.tif 000003
【図２】
2006348505.tif 000004